(57)【要約】【課題】固定具が防水シートのフラッタリングによる繰り返し振動によって緩むことを防止することができる防水シートの固定構造とそれに用いる固定具とを提供することを目的とする。【解決手段】防水下地の上に配置された固定板と、記固定板を貫通して前記防水下地に留め付けられた固定用ビスと、前記防水下地の上に敷設されるとともに前記固定板と前記固定用ビスとからなる固定具によって固定される防水シートと、を備え、前記固定板が前記固定用ビスのビス頭を収納可能な座繰りを備えており、前記ビス頭の裏面で前記座繰りに当接する面に凹凸が設けられている防水シート固定構造である。【選択図】    図１
2018123593.tif 000002
【特許請求の範囲】
【請求項１】
防水下地の上に配置された固定板と、
前記固定板を貫通して前記防水下地に留め付けられた固定用ビスと、
前記防水下地の上に敷設されるとともに前記固定板と前記固定用ビスとからなる固定具によって固定される防水シートと、を備え、
前記固定板が前記固定用ビスのビス頭を収納可能な座繰りを備えており、
前記ビス頭の裏面で前記座繰りに当接する面に凹凸が設けられている
防水シート固定構造。
【請求項２】
防水下地の上に配置された固定板と、
前記固定板を貫通して前記防水下地に留め付けられた固定用ビスと、
前記防水下地の上に敷設されるとともに前記固定板と前記固定用ビスとからなる固定具によって固定される防水シートと、を備え、
前記固定板が前記固定用ビスのビス頭を収納可能な座繰りを備えており、
前記座繰りの表面で前記ビス頭に当接する面に凹凸が設けられている
防水シート固定構造。
【請求項３】
防水下地の上に配置された固定板と、
前記固定板を貫通して前記防水下地に留め付けられた固定用ビスと、
前記防水下地の上に敷設されるとともに前記固定板と前記固定用ビスとからなる固定具によって固定される防水シートと、を備え、
前記固定板が前記固定用ビスのビス頭を収納可能な座繰りを備えており、
前記ビス頭の裏面で前記座繰りに当接する面に凹凸が設けられ、
前記座繰りの表面で前記ビス頭に当接する面に凹凸が設けられており、
前記ビス頭の裏面に設けられた凹凸と前記座繰りの表面に設けられた凹凸とが掛け合うように対応している
防水シート固定構造。
【請求項４】
前記固定板の前記座繰りの表面で前記ビス頭に当接する面が樹脂層により被覆されている請求項１〜請求項３に記載の防水シート固定構造。
【請求項５】
前記ビス頭の裏面で前記座繰りに当接する面が樹脂層により被覆されている請求項１〜請求項３に記載の防水シート固定構造。
【請求項６】
固定板と固定用ビスから構成され、防水下地の上に防水シートを固定するための固定具であって、
前記固定板は前記固定用ビスが貫通する貫通孔と前記固定用ビスのビス頭を収納可能な座繰りと、を備え、
前記ビス頭の裏面で前記座繰りに当接する面に凹凸が設けられている
防水シート固定具。
【請求項７】
固定板と固定用ビスから構成され、防水下地の上に防水シートを固定するための固定具であって、
前記固定板は前記固定用ビスが貫通する貫通孔と前記固定用ビスのビス頭を収納可能な座繰りと、を備え、
前記座繰りの表面で前記ビス頭に当接する面に凹凸が設けられている
防水シート固定具。
【請求項８】
固定板と固定用ビスから構成され、防水下地の上に防水シートを固定するための固定具であって、
前記固定板は前記固定用ビスが貫通する貫通孔と前記固定用ビスのビス頭を収納可能な座繰りと、を備え、
前記ビス頭の裏面で前記座繰りに当接する面に凹凸が設けられ、
前記座繰りの表面で前記ビス頭に当接する面に凹凸が設けられており、
前記ビス頭の裏面に設けられた凹凸と前記座繰りの表面に設けられた凹凸とが掛け合うように対応している
防水シート固定具。
【発明の詳細な説明】
【技術分野】
【０００１】
本発明は、屋上や屋根、ベランダ等の防水構造における防水シートの固定構造およびそれに用いる固定具に関する。
【背景技術】
【０００２】
従来、屋上やベランダ、陸屋根等の防水工法として、防水シートによるシート防水工法が行なわれており、その中でも固定板と固定部材からなる固定具を用いて防水シートを下地に対して部分的に固定する機械的固定工法は、その施工性から下地の種類や新設、改修を問わず一般的に採用されている。
【０００３】
防水構造を設ける防水下地としては、コンクリート下地、金属下地、軽量発泡コンクリート（ＡＬＣ）、鋼材、木質材等があり、いずれの防水下地にも上述のような機械的固定工法が適用されているが、金属下地に関しては他の防水下地に比べて厚みが薄いものが多く、その場合、防水シートの固定具の固定部材として使用されるビスが金属下地を貫通した状態で固定されている。
【０００４】
ここで、機械的固定工法で施工された防水構造においては、風の負圧により固定具間の防水シートが浮き上がって波打つようなフラッタリングという現象があり、これによってシートを下地に固定しているビスに上向きの力がかかるとともに横方向へも力がかかるため、ビス穴周辺の金属下地部分が疲労し、下地に固定しているビス穴が拡大して最終的にビスが引き抜けるといった現象が起こりうる。
【０００５】
これに対し特許文献１には、固定具の揺れに起因する固定部分での材料疲労が発生せずに安定した固定機能を目指したものとして、枠体と固定部材とからなる固定具を備え、枠体が防水シート等の外装部材を貫通し、ビス等の固定部材によって外装部材と枠体の下端部が下地材の表面に固定されることを特徴とした、外装構造が開示されている。
【先行技術文献】
【特許文献】
【０００６】
【特許文献１】特開２００８−１５０７９４号公報
【発明の概要】
【発明が解決しようとする課題】
【０００７】
このような外装構造においては、枠体の中にビス等の固定部材が打ち込まれているため、固定具の横方向への揺れ幅が制限され、よって防水下地における固定部分の材料疲労を防ぐことを可能としている。
【０００８】
しかしながらこのような金属下地に機械的固定工法で施工された防水構造におけるビス抜けの発生要因としては、固定具の横揺れに起因するビス穴周辺の材料疲労によるものだけではなく、固定具にかかる繰り返しの振動により徐々にビスが緩むことによるものもあることが分かっている。
【０００９】
そこで本発明は上記の点を考慮してなされたもので、固定具が防水シートのフラッタリングによる繰り返し振動によって緩むことを防止することができる防水シートの固定構造とそれに用いる固定具とを提供することを目的とする。
【課題を解決するための手段】
【００１０】
本発明は、固定板と固定部材からなる固定具において、固定板と固定部材との接触面に凹凸を設けたことを要旨とする。
【００１１】
より詳細には、防水下地の上に配置された固定板と、固定板を貫通して防水下地に留め付けられた固定用ビスと、防水下地の上に敷設されるとともに固定板と固定用ビスとからなる固定具によって固定される防水シートと、を備え、固定板が固定用ビスのビス頭を収納可能な座繰りを備えており、ビス頭の裏面で座繰りに当接する面に凹凸が設けられている防水シート固定構造である。
【００１２】
また、防水下地の上に配置された固定板と、固定板を貫通して防水下地に留め付けられた固定用ビスと、防水下地の上に敷設されるとともに固定板と固定用ビスとからなる固定具によって固定される防水シートと、を備え、固定板が固定用ビスのビス頭を収納可能な座繰りを備えており、座繰りの表面でビス頭に当接する面に凹凸が設けられている防水シート固定構造である。
【００１３】
また、防水下地の上に配置された固定板と、前記固定板を貫通して前記防水下地に留め付けられた固定用ビスと、前記防水下地の上に敷設されるとともに前記固定板と前記固定用ビスとからなる固定具によって固定される防水シートと、を備え、前記固定板が前記固定用ビスのビス頭を収納可能な座繰りを備えており、前記ビス頭の裏面で前記座繰りに当接する面に凹凸が設けられ、前記座繰りの表面で前記ビス頭に当接する面に凹凸が設けられており、前記ビス頭の裏面に設けられた凹凸と前記座繰りの表面に設けられた凹凸とが掛け合うように対応している防水シート固定構造である。
【００１４】
このような防水シート固定構造とすることにより、防水シートを固定した状態の固定具である固定板と固定用ビスとの接触面（ビス頭の裏面と座繰りの表面）の摩擦抵抗が大きくなり、防水シートのフラッタリング等により固定部に上向きの力が働いたときに固定用ビスが緩むことを防止することができる。ビス頭の裏面に設けられた凹凸と座繰りの表面に設けられた凹凸とが掛け合うように対応している場合には、摩擦抵抗に加えて掛け合いによる回転防止効果も得られる。
また固定板の座繰りの表面でビス頭に当接する面、またはビス頭の裏面で座繰りに当接する面が樹脂層により被覆されている防水シート固定構造においては、さらに接触面の摩擦抵抗が大きくなり、緩み防止効果も向上する。
【００１５】
また、固定板と固定用ビスから構成され、防水下地の上に防水シートを固定するための固定具であって、固定板は固定用ビスが貫通する貫通孔と固定用ビスのビス頭を収納可能な座繰りと、を備え、ビス頭の裏面で座繰りに当接する面に凹凸が設けられている防水シート固定具であり、または前記座繰りの表面でビス頭に当接する面に凹凸が設けられている防水シート固定具である。
【００１６】
そしてさらに、固定板と固定用ビスから構成され、防水下地の上に防水シートを固定するための固定具であって、固定板は固定用ビスが貫通する貫通孔と固定用ビスのビス頭を収納可能な座繰りと、を備え、ビス頭の裏面で座繰りに当接する面に凹凸が設けられ、座繰りの表面でビス頭に当接する面に凹凸が設けられており、ビス頭の裏面に設けられた凹凸と座繰りの表面に設けられた凹凸とが掛け合うように対応している防水シート固定具である。
【発明の効果】
【００１７】
本発明によれば、機械的固定工法により防水シートが施工された防水構造において、固定具が防水シートのフラッタリングによる繰り返し振動によって緩むことを防止でき安定した防水シート固定構造が得られるとともに、主に金属下地において懸念されるビス抜けを防止することができる。
【図面の簡単な説明】
【００１８】
【図１】本発明の防水シート固定構造の第１実施形態を示す断面図である。
【図２】図１の防水シート固定構造の固定部の拡大図である。
【図３】本発明の固定具である固定用ビスの説明図である。
【図４】本発明の固定用ビスを軸の下端方向から見た平面図である。
【図５】本発明の固定具である固定板の斜視図である。
【図６】本発明の固定具である固定板を上面方向から見た平面図である。
【図７】本発明の防水シート固定構造の固定部の拡大図である。
【図８】本発明の固定具である固定用ビスの説明図である。
【図９】本発明の固定用ビスを軸の下端方向から見た平面図である。
【図１０】本発明の固定具である固定板の斜視図である。
【図１１】本発明の固定具である固定板を上面方向から見た平面図である。
【図１２】本発明の防水シート固定構造の第２実施形態を示す断面図である
【発明を実施するための形態】
【００１９】
以下、本発明の実施形態について図面を参照して詳細に説明する。なお、本発明の実施形態はこれによって制限されるものではない。
【００２０】
図１に第１実施形態である防水シート固定構造の断面図を示す。金属屋根１ａおよび断熱材１ｂからなる防水下地１の上に固定板２が配置され、固定用ビス３が固定板２を貫通して防水下地１に留め付けられている。固定板２の上面と防水シート４の下面とが接合され、防水シート４は固定板２および固定用ビス３からなる固定具によって防水下地１に固定されている。
【００２１】
図１の防水シート固定構造は先付け工法と呼ばれる機械的固定工法による防水シート固定構造であり、防水下地１の上に固定用ビス３により留め付けられた固定板２の上面と防水シート４の下面とが接合されており、この固定板２と防水シート４との接合には一般的に熱による融着や溶剤による溶着等が用いられる。このとき、固定板２の少なくとも表面が防水シート４と同様の材質からなるものが好適に用いられる。
【００２２】
図２は図１の防水シート固定構造の固定部を拡大して示したものである。本実施形態の固定板２Ａは円盤状をしており、中心に貫通孔２ｂとその周囲に座繰り２ａとを備えている。
金属屋根１ａおよび断熱材１ｂからなる防水下地１の上に配置された固定板２Ａの貫通孔２ｂを貫通して固定用ビス３Ａが防水下地１に留め付けられている状態であり、固定用ビス３Ａのビス頭３ａは固定板２Ａの座繰り２ａに収納され、固定板２Ａの上面から飛び出ぬよう、固定板２Ａの上面とビス頭３ａの上面が略面一に位置している。
【００２３】
図３は第１実施形態の防水シート固定構造に用いられる固定用ビス３Ａの一例を示すものである。固定用ビス３Ａはビス頭３ａと軸３ｂから構成されている。図３の固定用ビス３Ａは皿ビスと呼ばれるビスであり、ビス頭３ａは上端が平らでビス頭３ａの上端から下端（軸３ｂ側）に向け徐々に外径が小さくなっている。
【００２４】
ビス頭の下側の面、すなわち図２に示す固定部において固定板２Ａの座繰り２ａに接する面であるビス頭底部３ｃには、その表面に凹凸を有するものが好ましい。図３の固定用ビス３Ａは、ビス頭底部３ｃの周囲に、ねじ締め方向に対して爪がかかるように波型に形成された凹凸を有している。このような形状とすることで固定用ビス３Ａを固定板２の貫通孔２ｂを貫通させて防水下地１に留め付ける際、固定板２Ａの座繰り２ａにビス頭底部３ｃの凸部が食い込むような状態となるため、固定用ビス３Ａの緩み防止効果が得られる。また、このような波型の凹凸形状で図３と逆方向に爪がかかるような凹凸、すなわちねじ締め方向に対し滑るような凹凸の場合にも、固定用ビス３Ａが緩む方向に動こうとする際に固定板２Ａの座繰り２ａにビス頭底部３ｃの凸部が引っかかるようになるためこれもまた固定用ビス３Ａの緩み防止効果が得られる。
【００２５】
図４は固定用ビス３Ａを軸３ｂの下端側から見た平面図である。（４−１）は図３の固定用ビス３Ａを示すものであり、（４−２），（４−３）は他の例を示したものである。（４−２）は（４−１）のようにビス頭底部３ｃの周囲に、ねじ締め方向に対して爪がかかるように波型に形成された凹凸を有しており、（４−１）が放射状に凹凸が形成されているのに対し、（４−２）は螺旋状に凹凸が形成されている。（４−３）はビス頭底部３ｃ全体に微細な凹凸が多数形成されたものである。ビス頭底部３ｃの凹凸は固定用ビス３Ａの緩み方向の力に対し、ビス頭底部３ｃと固定板２Ａの座繰り２ａとの摩擦抵抗を増大するようなものであればよく、これらの形状に限らず、筋状、爪状などさまざまな凹凸形状が採用できる。
【００２６】
また固定用ビス３Ａのビス頭底部３ｃは表面にポリ塩化ビニル系樹脂、ポリオレフィン系樹脂、アクリル系樹脂等の樹脂層やニトリルゴム系、スチレン‐ブタジエンゴム系などゴム層を被覆していてもよい。これにより固定用ビス３Ａのビス頭底部３ｃと固定板２Ａの座繰り２ａとの摩擦抵抗が増大し、固定用ビス３Ａの緩み防止効果が得られる。
【００２７】
図５は第１実施形態の防水シート固定構造に用いられる固定板２Ａの一例を示すものであり、皿ビスタイプの固定用ビス３Ａに対応するものである。固定板２Ａはその周囲と中央部分が低く形成されており、中央部分には固定用ビス３Ａが貫通する貫通孔２ｂとビス頭３ａが収納される座繰り２ａが形成されている。
【００２８】
座繰り２ａの表面には図５のように凹凸が形成されていてもよい。図５の固定板２Ａは、座繰り２ａの周囲に、固定用ビス３Ａのねじ締め方向に対して爪がかかるように波型に形成された凹凸を有している。このような形状とすることで固定用ビス３Ａを固定板２Ａの貫通孔２ｂを貫通させて防水下地１に留め付ける際、ビス頭底部３ｃに固定板２Ａの座繰り２ａの凸部が食い込むような状態となるため、固定用ビス３Ａの緩み防止効果が得られる。また、このような波型の凹凸形状で図５と逆方向に爪がかかるような凹凸、すなわちねじ締め方向に対し滑るような凹凸の場合にも、固定用ビス３Ａが緩む方向に動こうとする際にビス頭底部３ｃに固定板２Ａの座繰り２ａの凸部が引っかかるようになるためこれもまた固定用ビス３Ａの緩み防止効果が得られる。
【００２９】
図６は固定板２Ａを上面２ｃの上側から見た平面図である。（６−１）は図５の固定板２Ａを示すものであり、（６−２），（６−３）は他の例を示したものである。（６−２）は（６−１）のように座繰り２ａの周囲に、ねじ締め方向に対して爪がかかるように波型に形成された凹凸を有しており、（６−１）が放射状に凹凸が形成されているのに対し、（６−２）は螺旋状に凹凸が形成されている。（６−３）は座繰り２ａ全体に微細な凹凸が多数形成されたものである。座繰り２ａの凹凸は固定用ビス３Ａの緩み方向の力に対し、座繰り２ａと固定用ビス３Ａのビス頭底部３ｃとの摩擦抵抗を増大するようなものであればよく、これらの形状に限らず、筋状、爪状などさまざまな凹凸形状が採用できる。
【００３０】
本実施形態において、固定用ビス３Ａのビス頭底部３ｃの表面の凹凸、固定板２Ａの座繰り２ａの表面の凹凸はいずれか一方を備えていればよいが、固定用ビス３Ａのビス頭底部３ｃの表面の凹凸と固定板２Ａの座繰り２ａの表面の凹凸とが掛け合うように両方に備えられていてもよい。例えば固定用ビス３Ａのビス頭底部３ｃの表面に図４の（４−１）のような波型の凹凸が放射状に設けられているものに対して、固定板２Ａの座繰り２ａの表面に図６（６−１）のような波型の凹凸が放射状に設けられているものが、固定用ビス３Ａを固定板２Ａの貫通孔２ｂを貫通して留め付けた際に、互いの表面の凹凸が掛け合うように構成されていればよい。
【００３１】
また固定板２Ａの座繰り２ａは表面にポリ塩化ビニル系樹脂、ポリオレフィン系樹脂、アクリル系樹脂等の樹脂層やニトリルゴム系、スチレン‐ブタジエンゴム系などゴム層を被覆していてもよい。これにより固定用ビス３Ａのビス頭底部３ｃと固定板２Ａの座繰り２ａとの摩擦抵抗が増大し、固定用ビス３Ａの緩み防止効果が得られる。
【００３２】
図７は本発明の防水シート固定構造の固定部を拡大して示したものである。本実施形態の固定板２Ｂは円盤状をしており、中心に貫通孔２ｂと、その周囲に座繰り側部２ａ−１と座繰り底部２ａ−２からなる座繰り２ａとを備えている。
金属屋根１ａおよび断熱材１ｂからなる防水下地１の上に配置された固定板２の貫通孔２ｂを貫通して固定用ビス３Ｂが防水下地１に留め付けられている状態であり、固定用ビス３Ｂのビス頭３ａは固定板２Ｂの座繰り２ａに収納され、固定板２Ｂの上面から飛び出ぬよう、固定板２Ｂの上面とビス頭３ａの上面が略面一に位置している。
【００３３】
図８は第１実施形態の防水シート固定構造に用いられる固定用ビス３Ｂの一例を示すものである。固定用ビス３Ｂはビス頭３ａと軸３ｂから構成されている。図８の固定用ビス３Ｂは鍋ビスと呼ばれるビスであり、ビス頭３ａは上端面の周囲が丸みを帯びており、ビス頭３ａの下端は軸３ｂに対して垂直な底面を有しており、ビス頭３ａはちょうど鍋を逆さまにしたような形状をしている。
【００３４】
ビス頭の下側の面、すなわち図７に示す固定部において固定板２Ｂの座繰り底部２ａ−２に接する面であるビス頭底部３ｃには、その表面に凹凸を有するものが好ましい。図８の固定用ビス３Ｂは、ビス頭底部３ｃの周囲に、ねじ締め方向に対して爪がかかるように波型に形成された凹凸を有している（図示なし）。このような形状とすることで固定用ビス３Ｂを固定板２Ｂの貫通孔２ｂを貫通させて防水下地１に留め付ける際、固定板２Ｂの座繰り底部２ａ−２にビス頭底部３ｃの凸部が食い込むような状態となるため、固定用ビス３Ｂの緩み防止効果が得られる。また、このような波型の凹凸形状で逆方向に爪がかかるような凹凸、すなわちねじ締め方向に対し滑るような凹凸の場合にも、固定用ビス３Ｂが緩む方向に動こうとする際に固定板２Ｂの座繰り底部２ａ−２にビス頭底部３ｃの凸部が引っかかるようになるためこれもまた固定用ビス３Ｂの緩み防止効果が得られる。
【００３５】
図９は固定用ビス３Ｂを軸３ｂの下端側から見た平面図である。（９−１）は図８の固定用ビス３Ｂを示すものであり、（９−２），（９−３）は他の例を示したものである。（９−２）は（９−１）のようにビス頭底部３ｃの周囲に、ねじ締め方向に対して爪がかかるように波型に形成された凹凸を有しており、（９−１）が放射状に凹凸が形成されているのに対し、（９−２）は螺旋状に凹凸が形成されている。（９−３）はビス頭底部３ｃ全体に微細な凹凸が多数形成されたものである。ビス頭底部３ｃの凹凸は固定用ビス３Ｂの緩み方向の力に対し、ビス頭底部３ｃと固定板２Ｂの座繰り底部２ａ−２との摩擦抵抗を増大するようなものであればよく、これらの形状に限らず、筋状、爪状などさまざまな凹凸形状が採用できる。
【００３６】
また固定用ビス３Ｂのビス頭底部３ｃは表面にポリ塩化ビニル系樹脂、ポリオレフィン系樹脂、アクリル系樹脂等の樹脂層やニトリルゴム系、スチレン‐ブタジエンゴム系などゴム層を被覆していてもよい。これにより固定用ビス３Ｂのビス頭底部３ｃと固定板２Ｂの座繰り底部２ａ−２との摩擦抵抗が増大し、固定用ビス３Ｂの緩み防止効果が得られる。
【００３７】
図１０は第１実施形態の防水シート固定構造に用いられる固定板２Ｂの一例を示すものであり、鍋ビスタイプの固定用ビス３Ｂに対応するものである。固定板２Ｂはその周囲と中央部分が低く形成されており、中央部分には固定用ビス３Ｂが貫通する貫通孔２ｂとビス頭３ａが収納される座繰り２ａが形成されている。
【００３８】
座繰り２ａの座繰り底部２ａ−２の表面には図１０のように凹凸が形成されていてもよい。図１０の固定板２Ｂは、座繰り２ａの座繰り底部２ａ−２の表面に、固定用ビス３Ｂのねじ締め方向に対して爪がかかるように波型に形成された凹凸を有している。このような形状とすることで固定用ビス３Ｂを固定板２Ｂの貫通孔２ｂを貫通させて防水下地１に留め付ける際、ビス頭底部３ｃに固定板２Ｂの座繰り２ａの座繰り底部２ａ−２の凸部が食い込むような状態となるため、固定用ビス３Ｂの緩み防止効果が得られる。また、このような波型の凹凸形状で図１０と逆方向に爪がかかるような凹凸、すなわちねじ締め方向に対し滑るような凹凸の場合にも、固定用ビス３Ｂが緩む方向に動こうとする際にビス頭底部３ｃに固定板２Ｂの座繰り２ａの座繰り底部２ａ−２の凸部が引っかかるようになるためこれもまた固定用ビス３Ｂの緩み防止効果が得られる。
【００３９】
図１１は固定板２Ｂを上面２ｃの上側から見た平面図である。（１１−１）は図１０の固定板２Ｂを示すものであり、（１１−２），（１１−３）は他の例を示したものである。（１１−２）は（１１−１）のように座繰り２ａの座繰り底部２ａ−２の表面に、ねじ締め方向に対して爪がかかるように波型に形成された凹凸を有しており、（１１−１）が放射状に凹凸が形成されているのに対し、（１１−２）は螺旋状に凹凸が形成されている。（１１−３）は座繰り２ａの座繰り底部２ａ−２の表面全体に微細な凹凸が多数形成されたものである。座繰り２ａの座繰り底部２ａ−２の表面の凹凸は固定用ビス３Ｂの緩み方向の力に対し、座繰り２ａ座繰り底部２ａ−２の表面と固定用ビス３Ｂのビス頭底部３ｃとの摩擦抵抗を増大するようなものであればよく、これらの形状に限らず、筋状、爪状などさまざまな凹凸形状が採用できる。
【００４０】
本実施形態において、固定用ビス３Ｂのビス頭底部３ｃの表面の凹凸、固定板２Ｂの座繰り２ａの座繰り底部２ａ−２の表面の凹凸はいずれか一方を備えていればよいが、固定用ビス３Ｂのビス頭底部３ｃの表面の凹凸と固定板２Ｂの座繰り２ａの座繰り底部２ａ−２の表面の凹凸とが掛け合うように両方に備えられていてもよい。例えば固定用ビス３Ｂのビス頭底部３ｃの表面に図９の（９−１）のような波型の凹凸が放射状に設けられているものに対して、固定板２Ｂの座繰り２ａの座繰り底部２ａ−２の表面に図１１（１１−１）のような波型の凹凸が放射状に設けられているものが、固定用ビス３Ｂを固定板２Ｂの貫通孔２ｂを貫通して留め付けた際に、互いの表面の凹凸が掛け合うように構成されていればよい。
【００４１】
また固定板２Ｂの座繰り２ａの座繰り底部２ａ−２は表面にポリ塩化ビニル系樹脂、ポリオレフィン系樹脂、アクリル系樹脂等の樹脂層やニトリルゴム系、スチレン‐ブタジエンゴム系などゴム層を被覆していてもよい。これにより固定用ビス３Ｂのビス頭底部３ｃと固定板２Ｂの座繰り底部２ａ−２との摩擦抵抗が増大し、固定用ビス３Ｂの緩み防止効果が得られる。
【００４２】
図１２に第２実施形態である防水シート固定構造の断面図を示す。金属屋根１ａおよび断熱材１ｂからなる防水下地１の上に防水シート４が敷設され、その上に固定板２が配置され、固定用ビス３が固定板２を貫通して防水下地１に留め付けられている。固定板２の上面に増し張りシート５が敷設され、固定板２の上面と増し張りシート５の下面とが接合され、防水シート４は固定板２および固定用ビス３からなる固定具によって防水下地１に固定されている。
【００４３】
図１２の防水シート固定構造は後付け工法と呼ばれる機械的固定工法による防水シート固定構造であり、防水シート４の上に固定用ビス３により留め付けられた固定板２の上面及び防水シート４の上面と増し張りシート５の下面とが接合されており、この固定板２及び防水シート４と増し張りシート５との接合には一般的に熱による融着や溶剤による溶着等が用いられる。このとき、固定板２の少なくとも表面と防水シート４と増し張りシート５とは、同様の材質からなるものが好適に用いられる。
【００４４】
防水下地１は建築物の屋上、ベランダ、バルコニー等の躯体であり、コンクリート下地、金属下地、軽量発泡コンクリート（ＡＬＣ）、鋼材、木質材等が用いられる。また、これらの上に無機質板、断熱材等の他の層を積層しても良い。
【００４５】
固定板２は防水シート４を固定できるものであればよい。厚み方向に貫通し、固定用ビス３を打ち込むための貫通孔を備えていることが好ましい。この貫通孔の周囲には固定用ビス３のビス頭が収容されるための座くりが設けられていることが好ましい。固定板２の厚みは０．５ｍｍ〜２．０ｍｍ程度で、形状は正方形または長方形をした矩形状のプレート状や、円形または楕円形状のディスク状、長尺状など任意であり、大きさは１辺または外径が５０ｍｍ〜１００ｍｍ程度に形成することができる。固定板２は金属製、硬質合成樹脂製、木製等が用いられる。強度や耐久性の点から金属製が好ましい。金属製の固定用板を構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。
【００４６】
図１の実施形態において融着または溶着により固定板２と防水シート４とが接合される場合には固定板２の上面には接着層が設けられている。固定板２の接着層としてはアクリル系、ウレタン系、エポキシ系、ニトリルゴム系、スチレン‐ブタジエンゴム系などの各種接着剤や、ポリ塩化ビニル系樹脂、ポリオレフィン系樹脂、アクリル系樹脂等の熱可塑性樹脂被覆層、またポリ塩化ビニル系樹脂やアクリル系樹脂などの熱可塑性樹脂の組成物を溶剤に溶解したシール材などを用いることができる。図１の実施形態では固定板２の上面に熱可塑性樹脂被覆層であるポリ塩化ビニル系樹脂の被覆層が積層一体化されている（図示なし）。接合強度を考慮すると、防水シート４と熱可塑性樹脂被覆層の材質は同種のものを用いるのが好ましく、防水シート４がポリ塩化ビニル系樹脂製である場合には、固定板２の熱可塑性樹脂被覆層もポリ塩化ビニル系樹脂からなることが好ましい。また接着層は固定板２の上面に予め設けるだけでなく、施工時に新たに設けてもよい。
【００４７】
固定用ビス３としては、ネジ、ビス、ボルト等が用いられる。材質としては、炭素鋼、合金鋼、ステンレス鋼等の鋼材などが使用できる。また、固定板２の上面から頭部がはみ出ないように、固定用ビス３の頭の形状は皿、平、なべがよく、ドライバーやレンチで掛ける座面の窪み形状は十字穴、六角穴、四角穴が好ましい。また固定用ビス３の表面は各種樹脂層で被覆されていてもよい。
【００４８】
防水シート４としては熱可塑性樹脂製防水シートが好ましく使用され、ポリ塩化ビニル系樹脂、ポリオレフィン系樹脂、アクリル系樹脂等を使用することができる。防水シート４は熱可塑性樹脂層の単層でも良いが、寸法安定性、引張強度に優れるという点からガラスクロス、ガラス不織布、ポリエステルクロス、ポリエステル不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
【００４９】
増し張りシート５は防水シート４と同様のシートが使用でき、熱可塑性樹脂製防水シートが好ましく使用され、塩化ビニル系樹脂、ポリオレフィン系樹脂、アクリル系樹脂等を使用することができる。増し張りシート５は熱可塑性樹脂層の単層でも良く、ガラスクロス、ガラス不織布、ポリエステルクロス、ポリエステル不織布等の基材層を積層した複層品でも良い。また熱可塑性樹脂層は一層であっても、複数の層であってもよく、それぞれの層の組成を異なるものとしてもよい。
【００５０】
なお、本発明は以上説明した実施形態に限定されるものではなく、またこの他にも本発明の技術的思想内においてさまざまな形態をとり得ることができる。
【符号の説明】
【００５１】
１    防水下地
２    固定板
２ａ    座繰り
２ｂ    貫通孔
２ｃ    上面
３    固定用ビス
３ａ    ビス頭
３ｂ    軸
３ｃ    ビス頭底部
４    防水シート
５    増し張りシート
【図１】
2018123593.tif 000003
【図２】
2018123593.tif 000004
【図３】
2018123593.tif 000005
【図４】
2018123593.tif 000006
【図５】
2018123593.tif 000007
【図６】
2018123593.tif 000008
【図７】
2018123593.tif 000009
【図８】
2018123593.tif 000010
【図９】
2018123593.tif 000011
【図１０】
2018123593.tif 000012
【図１１】
2018123593.tif 000013
【図１２】
2018123593.tif 000014